(57)【要約】【課題】  キーボードをソフトウェアで実現することにより、小型ながらも押しやすいフルキーボードを搭載した携帯型端末装置及びフルキーボード表示方法を提供する。【解決手段】  携帯型端末装置１のディスプレイ部７にフルキーボードの一部領域を表示し、キーボードとともに表示した位置指定ボタン２２が押下されると、操作手段１６は、位置指定の入力信号を制御手段１２に出力し、制御手段１２は、記憶手段１７より位置指定ボタンに対応するキーのデータを参照して、表示手段１４にキーのデータを出力し、表示手段１４は、該キーのデータについて表示を行なう。【選択図】図２
2008305294.tif 000002
【特許請求の範囲】
【請求項１】
ディスプレイにキーボードを表示する携帯型端末装置であって、
フルキーボードの一部を表示する表示手段と、
前記表示手段に表示するフルキーボードのうちの表示領域を決定する制御手段と、
前記フルキーボードについてのデータを格納する記憶手段とを備え、
前記制御手段は、前記記憶手段を参照して、前記表示手段に、決定した表示領域のキーのデータを出力することを特徴とするフルキーボードを搭載した携帯型端末装置。
【請求項２】
前記ディスプレイに、操作手段を備え、
前記表示手段は、前記ディスプレイに、前記フルキーボードのうちの前記表示領域のそれぞれに対応した位置指定ボタンを表示し、
前記位置指定ボタンの押下により、前記操作手段は、位置指定についてのデータを前記制御手段に出力し、
前記制御手段は、前記表示領域を決定し、前記表示手段に、該表示領域のキーのデータを出力することを特徴とする請求項１に記載のフルキーボードを搭載した携帯型端末装置。
【請求項３】
前記表示手段は、前記ディスプレイに、表示するキーの大きさを変更する表示サイズ変更ボタンを表示し、
前記表示サイズ変更ボタンの押下により、前記操作手段は、キーの表示サイズについてのデータを前記制御手段に出力し、
前記制御手段は、前記表示手段に、前記ディスプレイに表示する前記キーの大きさのデータ、該キーのデータ及び前記位置指定ボタンの数のデータを含むデータを出力することを特徴とする請求項２に記載のフルキーボードを搭載した携帯型端末装置。
【請求項４】
前記制御手段は、前記表示サイズ変更ボタンにより、前記ディスプレイに表示する前記キーのサイズを大きくする選択がされた場合は、前記位置指定ボタンの数を増加させ、前記キーのサイズを小さくする選択がされた場合は、前記位置指定ボタンの数を減少させることを特徴とする請求項３に記載のフルキーボードを搭載した携帯型端末装置。
【請求項５】
前記制御手段は、前記ディスプレイに表示するキーボードの領域を変更する場合には、選択された前記位置指定ボタンに対応するキーの出力が全てなされるまで、キーボードの縦一列のデータを順次出力し、前記表示手段に前記キーボードをスクロール表示させることを特徴とする請求項２から請求項４のいずれか１つに記載のフルキーボードを搭載した携帯型端末装置。
【請求項６】
前記表示手段は、前記位置指定ボタンに、該位置指定ボタンに対応するキーを表示することを特徴とする請求項２から請求項５のいずれか１つに記載のフルキーボードを搭載した携帯型端末装置。
【請求項７】
前記表示手段は、前記ディスプレイに現在表示しているキーボードの領域に対応する前記位置指定ボタンの色を他のボタンと異なる色で表示することを特徴とする請求項２から請求項６のいずれか１つに記載のフルキーボードを搭載した携帯型端末装置。
【請求項８】
前記表示手段は、前記ディスプレイに表示する前記位置指定ボタンを所定間隔空けることを特徴とする請求項２から請求項７のいずれか１つに記載のフルキーボードを搭載した携帯型端末装置。
【請求項９】
前記操作手段は、タッチパネルであることを特徴とする請求項２から請求項８のいずれか１つに記載のフルキーボードを搭載した携帯型端末装置。
【請求項１０】
携帯型端末装置のディスプレイにキーボードを表示するフルキーボード表示方法であって、
前記携帯型端末装置に、
前記ディスプレイに表示するボタンと対応する、フルキーボードのうちの表示領域のキーのデータを記憶手段より参照して出力するステップと、
前記ディスプレイに、前記キーのデータを表示するステップとを実行させることを特徴とするフルキーボード表示方法。
【発明の詳細な説明】
【技術分野】
【０００１】
本発明は、携帯型端末装置にフルキーボードを搭載する技術に関する。
【背景技術】
【０００２】
従来のフルキーボードを搭載した携帯型端末装置として、携帯電話やＰＨＳ（Ｐｅｒｓｏｎａｌ  Ｈａｎｄｙｐｈｏｎｅ  Ｓｙｓｔｅｍ）とＰＤＡ（Ｐｅｒｓｏｎａｌ  Ｄｉｇｉｔａｌ  Ａｓｓｉｓｔａｎｔｓ）を融合させた携帯型端末装置であるスマートフォン（Ｓｍａｒｔｐｈｏｎｅ）等が、市場に流通している。
【０００３】
この携帯型端末装置に搭載されたフルキーボードは、ハードウェア又はソフトウェアにより全てのキーが一覧できるように実現されている。
【０００４】
ハードウェアにより実現されたキーボードには、例えば、キーボードが本体下部に格納されており、バネ付きスライド機構等を採用して、本体下部を下等にずらすことで現れるものがある。
この他に、外付けのキーボードを接続することで使用できるものもある。
【０００５】
また、ソフトウェアによるフルキーボード実現の場合、フルキーボードの一部を表示し、キーボードのスクロールにより表示画面を越えるサイズのキーボード表示を実現する技術が開示されている（例えば、特許文献１参照）。
【特許文献１】特開２００３-３１６５０２号公報
【発明の開示】
【発明が解決しようとする課題】
【０００６】
しかしながら、上記従来の方法では、全てのキーを一度に表示した場合、キートップが小型になり押下しにくかったり、ペン型の入力装置、スタイラス（ペン）が必要であったりした。
【０００７】
また、ハードウェアにより実現する場合、フルキーボードとしては小型とは言っても、携帯電話等の携帯型端末装置としては大きいサイズとなってしまっていた。
【０００８】
また、特許文献１の場合、キーを大きくすることができる様にはなっているが、直接キーを押下するわけではなく操作が直感的ではない。
【０００９】
本発明の目的は、キーボードをソフトウェアで実現することにより、小型ながらも押しやすいフルキーボードを搭載した携帯型端末装置及びフルキーボード表示方法を提供することである。
【課題を解決するための手段】
【００１０】
斯かる実情に鑑み、第１の発明によるフルキーボードを搭載した携帯型端末装置は、ディスプレイにキーボードを表示する携帯型端末装置であって、
フルキーボードの一部を表示する表示手段と、前記表示手段に表示するフルキーボードのうちの表示領域を決定する制御手段と、前記フルキーボードについてのデータを格納する記憶手段とを備え、前記制御手段は、前記記憶手段を参照して、前記表示手段に、決定した表示領域のキーのデータを出力することを特徴とする。
【００１１】
また、第２の発明によるフルキーボードを搭載した携帯型端末装置は、前記ディスプレイに、操作手段を備え、前記表示手段は、前記ディスプレイに、前記フルキーボードのうちの前記表示領域のそれぞれに対応した位置指定ボタンを表示し、前記位置指定ボタンの押下により、前記操作手段は、位置指定についてのデータを前記制御手段に出力し、前記制御手段は、前記表示領域を決定し、前記表示手段に、該表示領域のキーのデータを出力することを特徴とする。
【００１２】
また、第３の発明によるフルキーボードを搭載した携帯型端末装置は、前記表示手段は、前記ディスプレイに、表示するキーの大きさを変更する表示サイズ変更ボタンを表示し、前記表示サイズ変更ボタンの押下により、前記操作手段は、キーの表示サイズについてのデータを前記制御手段に出力し、前記制御手段は、前記表示手段に、前記ディスプレイに表示する前記キーの大きさのデータ、該キーのデータ及び前記位置指定ボタンの数のデータを含むデータを出力することを特徴とする。
【００１３】
また、第４の発明によるフルキーボードを搭載した携帯型端末装置は、前記制御手段が、前記表示サイズ変更ボタンにより、前記ディスプレイに表示する前記キーのサイズを大きくする選択がされた場合は、前記位置指定ボタンの数を増加させ、前記キーのサイズを小さくする選択がされた場合は、前記位置指定ボタンの数を減少させることを特徴とする。
【００１４】
また、第５の発明によるフルキーボードを搭載した携帯型端末装置は、前記制御手段が、前記ディスプレイに表示するキーボードの領域を変更する場合には、選択された前記位置指定ボタンに対応するキーの出力が全てなされるまで、キーボードの縦一列のデータを順次出力し、前記表示手段に前記キーボードをスクロール表示させることを特徴とする。
【００１５】
また、第６の発明によるフルキーボードを搭載した携帯型端末装置は、前記表示手段が、前記位置指定ボタンに、該位置指定ボタンに対応するキーを表示することを特徴とする。
【００１６】
また、第７の発明によるフルキーボードを搭載した携帯型端末装置は、前記表示手段が、前記ディスプレイに現在表示しているキーボードの領域に対応する前記位置指定ボタンの色を他のボタンと異なる色で表示することを特徴とする。
【００１７】
また、第８の発明によるフルキーボードを搭載した携帯型端末装置は、前記表示手段が、前記ディスプレイに表示する前記位置指定ボタンを所定間隔空けることを特徴とする。
【００１８】
また、第９の発明によるフルキーボードを搭載した携帯型端末装置は、前記操作手段が、タッチパネルであることを特徴とする。
【００１９】
また、第１０の発明によるフルキーボード表示方法は、携帯型端末装置のディスプレイにキーボードを表示するフルキーボード表示方法であって、
前記携帯型端末装置に、前記ディスプレイに表示するボタンと対応する、フルキーボードのうちの表示領域のキーのデータを記憶手段より参照して出力するステップと、前記ディスプレイに、前記キーのデータを表示するステップとを実行させることを特徴とする。
【発明の効果】
【００２０】
本発明によれば、ディスプレイには、キーボード上のすべてのキーを表示するのではなく、一部のみを表示することにより、従来の携帯型端末装置のサイズを変更することなく、押しやすいフルキーボードを搭載した携帯型端末装置の実現が可能となる。
【００２１】
また、携帯型端末装置のフルキーボードは、ソフトウェアにより実現することができるので、ハード面での設計変更を行なう必要がなく、開発コストを低減させることができる。
【００２２】
また、ディスプレイ部に、キーボード上の全てのキーを表示するのではなく、一部のみを表示することにより、キーの表示が十分大きいサイズとなり、ユーザにとってのキーの押しやすさを確保することができる。
【００２３】
また、フルキーボードの一部の領域を表示するキーボードにおける該領域の変更については、例えば、キーボード上部に表示位置を示す位置指定ボタンを表示し、そのボタンを押下することにより実現する。
【００２４】
また、キーのサイズを変更することができるため、ユーザに合わせたサイズにカスタマイズ可能となる。
【００２５】
また、キーサイズがカスタマイズ可能な場合、一度に表示できるキーの数が増減するため、表示位置を示す位置指定ボタンについてもその数を増減することができる。
【００２６】
また、キーボードの表示位置を変更する際、キーの移動の様子をスクロール表示することにより、ユーザは、キーの移動を直感的に認識して、操作しやすくなる。
【００２７】
また、位置指定ボタンに、その表示位置に含まれるキーの種類を表示することにより、ユーザは、所望のボタンが、どの位置指定ボタンに対応しているのかがわかり、位置指定ボタンを容易に選択することができる。
【００２８】
また、現在選択されている位置指定ボタンの表示色を他のボタンと異なるようにすることで、ユーザは、現在、フルキーボードのどの部分が選択・表示されているのかを、容易に認識することができる。
【発明を実施するための最良の形態】
【００２９】
以下に、本発明の実施形態について、図面を参照しながら説明する。
【００３０】
図１は、本発明に係る携帯型端末装置の一実施形態としての携帯電話の概観図である。ここに一例として説明する携帯型端末装置は、サイクロイド機構により表示部を縦から横に可動とするものであるが、通常の表示部が縦方向のみの携帯型端末装置や、その他のものであっても、ソフトウェアの表示制御により実現される、入力部がタッチパネル等である携帯型端末装置であれば、本発明を適用することができる。
【００３１】
図１（ａ）は、本実施形態における携帯型端末装置の筐体を閉じた状態を示す図、図１（ｂ）は、携帯型端末装置の筐体の展開時の内側の図、図１（ｃ）は、携帯型端末装置の筐体の展開時に、サイクロイド機構により表示部を横画面にした状態を示す図である。
【００３２】
携帯型端末装置１は、筐体上部２と筐体下部３の平面方向の一端部同士がヒンジ部４で連結され、更に、表示部５は、表示部５が筐体上部２と接する面において連結されている。
【００３３】
筐体上部２と表示部５とは、表示部５が図１（ｂ）に示す縦向きの状態から図１（ｃ）に示す横向きの状態となることが可能なサイクロイド機構により連結されている。
【００３４】
表示部５は、図１（ｂ）及び図１（ｃ）に示すように、液晶等のディスプレイ部６を備える。
【００３５】
また、筐体下部３には、操作の為の、例えば、タッチパネル等を装備したディスプレイ部７を備え、このディスプレイ部７に、本発明の特徴となるソフトウェアキーボードを実現する。キーパッド部にタッチパネル等を搭載し、押下された部分が感知でき、ソフトウェアによってキーボードを実現することができる。
【００３６】
図２は、本発明に係る携帯型端末装置１の内部構成を簡単に示したブロック図である。
【００３７】
携帯型端末装置１は、信号の送受信を行う無線手段１１と、本携帯型端末装置１の制御を行なう制御手段１２と、スピーカ１３と、表示手段１４と、マイク１５と、操作手段１６と、記憶手段１７とを含んで構成される。
【００３８】
無線手段１１は、公衆網上の基地局（不図示）から無線により受信したデータを制御手段１２に渡したり、制御手段１２から受けたデータを公衆網上の基地局へ送信したりする。
【００３９】
制御手段１２は、携帯型端末装置１の全体の制御を行ない、制御プログラムを用いて通信制御や画面制御、ユーザ操作のハンドリング等を行なう。
【００４０】
スピーカ１３は、制御手段１２から受けた音声や音楽等を出力する。
【００４１】
表示手段１４は、制御手段１２から受けた文字や画像データについて、ディスプレイ部６、７に表示を行なう。
【００４２】
マイク１５は、例えば、ユーザが話した音声等をデータとして制御手段１２に伝達する。
【００４３】
操作手段１６は、図１に一例として示した、タッチパネルつきのディスプレイ部７にソフトウェアキーボードを表示し、操作パネルを実現する。
【００４４】
記憶手段１７には、本発明に係るキーボードを実現するためのプログラムが記憶されている。
【００４５】
（第１の実施形態）
以下に、本実施形態における上記に説明した機能の動作について説明する。
図３は、本実施形態における携帯型端末装置１のソフトウェアキーボードの表示及び操作のための制御による動作の手順を示したフローチャート図である。
【００４６】
図４は、図１のディスプレイ部７に表示するキーボードについての初期画面の一例を示したものである。
【００４７】
ディスプレイ部７には、例えば、フルキーボードの一部を表示するキーボード表示部２１、フルキーボードの表示位置の選択のための位置指定ボタン２２等を表示する。
位置指定ボタン２２は、押し間違いを防止するため、図４に示すように、互いに接しないように表示することが望ましい。
【００４８】
図５は、ディスプレイ部７におけるフルキーボードの表示分割例を示した図である。
【００４９】
例えば、図のように配列したキーボードの全体を、３１ａ、３１ｂ、３１ｃ及び３１ｄのように４分割する。図４は、表示領域３１ａに対応した部分のキーボードが表示されているといえる。
【００５０】
キーボード表示部２１に現在表示されているキーボードの中に、ユーザの押下したいキーがあれば、そのまま押下する。
【００５１】
キーボード表示部２１に、ユーザの押下したいキーがなかった場合、図３のフローチャートに従い、処理されることになる。
【００５２】
図６は、本実施形態におけるソフトウェアキーボードの表示位置変更の動作例を示した図である。
例えば、ユーザが「Ｕ」のキーを押下したいとする。
【００５３】
図３におけるＳ（ステップ）１において、「Ｕ」のキーは図５の３１ｃの位置に存在しているので、ユーザは、図６（ａ）のように、位置指定ボタン２２ｃを押下する。
【００５４】
これに反応して、Ｓ２において、操作手段１６は、入力された信号を制御手段１２に伝達する。
【００５５】
Ｓ３において、制御手段１２は、表示手段１４にディスプレイ部７に表示すべきキーのデータを出力する。制御手段１２は、記憶手段１７を参照し、本実施形態においては、３１ｃの表示状態となるまで、例えば、キーボードの縦１列のデータを表示手段１４に順次出力していく。このことにより、図６（ｂ）のように、キーボードの表示がスクロールしていく。
【００５６】
Ｓ４の判定において、制御手段１２は、位置指定ボタン２２ｃに対応するキーが全部出力されたか否かの判定を行なう。対応するキーが全て表示されていない場合は（「ＮＯ」）、Ｓ３に戻って、制御手段１２は、記憶手段１７よりキーのデータを取得し、表示手段１４に出力する。
【００５７】
Ｓ４の判定で、制御手段１２が、位置指定ボタン２２ｃに対応するキーは全て表示されていると判定した場合は（「ＹＥＳ」）、本処理を終了する。
【００５８】
この後は、ユーザは、ディスプレイ部７に表示された図６（ｃ）に示すよう表示状態から、所望のキー２１ａを押下することができる。
【００５９】
すなわち、以上に説明するような処理が行なわれ、位置指定ボタン２２からの入力信号により、所望の領域までキーボードをスクロール表示させることができる。
キーボードの表示位置の移動の様子をスクロール表示することにより、ユーザは、キーの表示位置が移動する様子を直感的に認識して、操作しやすくなる。
【００６０】
また、本発明に係る携帯型端末装置のフルキーボードは、ソフトウェアにより実現することができるので、ハード面での設計変更を行なう必要がなく、開発コストを低減させることができる。
【００６１】
また、ディスプレイ部７には、キーボード上の全てのキーを表示するのではなく、一部のみを表示するので、ユーザにとってのキーの押しやすさを確保することができる。
【００６２】
（第２の実施形態）
本実施形態では、キーのサイズをユーザに合わせてカスタマイズ可能とする機能を有する場合について説明する。
【００６３】
図７は、本実施形態における携帯型端末装置１のソフトウェアキーボードの表示及び操作のための制御による動作の手順を示したフローチャート図である。
【００６４】
図８は、本実施形態における、図１のディスプレイ部７に表示するフルキーボードの画像の一例を示したものである。
【００６５】
図８には、図４と同様に、例えば、位置指定ボタン４１、キーボード表示部４２を備える。第１の実施形態の図４と異なる点は、表示サイズ変更ボタン４３を備えることである。
【００６６】
ディスプレイ部７にキーボードが表示されている場合において、ユーザが、現在の表示の大きさより大きいキー又は小さいキーを表示したい場合には、Ｓ１１において、表示サイズ変更ボタン４３を押下する。
【００６７】
図８の例では、表示サイズ変更ボタン４３は、ディスプレイ部７に表示するボタンとしているが、本端末装置本体に備えられたボタンとしてもよいし、表示サイズの変更の入力を行なうことができれば、これらに限定されない。
【００６８】
本実施形態では、図４の表示状態から図８の表示状態に変更するとして説明する。
【００６９】
図８は、キーのサイズを、図４より大きく変更した状態である。本例では、キーのサイズを大きく変更することにより、キーボード表示部４２に表示されるキーの数が減り、それに伴って、表示される位置指定ボタン４１が増加することになる。
【００７０】
表示サイズ変更ボタン４３が選択されると、これに反応して、Ｓ１２において、操作手段１６は、入力された信号を制御手段１２に伝達する。
【００７１】
Ｓ１３において、制御手段１２は、表示手段１４にディスプレイ部７に表示すべきキー、キーのサイズ及び位置指定ボタンの個数等についてのデータを出力する。制御手段１２は、記憶手段１７を参照し、図８の表示状態となるためのデータを取得して表示手段１４に出力する。
【００７２】
図９は、本実施形態における、表示サイズ変更後のディスプレイ部７に表示するフルキーボードの表示分割例を示した図である。
本例での表示領域の分割は、５１ａ、５１ｂ、５１ｃ、５１ｄ、５１ｅの様に５分割となっている。
【００７３】
Ｓ１４において、制御手段１２からキー、キーのサイズ及び位置指定ボタン４１の個数についてのデータを受け取った表示手段１４は、ディスプレイ部７に、これらのデータに従い、キーや位置指定ボタン４１の表示を行ない、本処理を終了する。
【００７４】
以上のような構成とすることで、キーの表示サイズを変更する場合、一度に表示できるキーの数が増減するため、位置指定ボタンについても、その数が自動的に増減される。
【００７５】
また、キーのサイズを変更することができるため、ユーザが利用しやすいように合わせたサイズにカスタマイズ可能となる。
【００７６】
また、位置指定ボタン上に該ボタンの移動先を表示するようにしてもよい。
図１０は、位置指定ボタン６１上に該ボタンの移動先のキーを縮小表示する例を示している。位置指定ボタン６１を拡大したものを拡大図６２として示す。これにより、ユーザは押下したいキーが、どの位置指定ボタンに対応しているのかがわかり、位置指定ボタン６１を容易に選択することができる。
【００７７】
また、現在選択されている位置指定ボタンの表示の色を他のボタンと異なるようにしてもよい。
図１１は、現在表示されているキーボードの領域に対応している位置指定ボタン７１を、他のボタンとは異なる色で表示する例を示している。これにより、ユーザは、現在、フルキーボードのどの部分が選択・表示されているのかを、容易に認識することができる。
【００７８】
尚、本発明のフルキーボードを搭載した携帯型端末装置及びフルキーボード表示方法は、上述の図示例にのみ限定されるものではなく、本発明の要旨を逸脱しない範囲内において種々変更を加え得ることは勿論である。
【図面の簡単な説明】
【００７９】
【図１】本発明に係る携帯型端末装置の概観図である。
【図２】本発明に係る携帯型端末装置の内部構成を簡単に示したブロック図である。
【図３】第１の実施形態における携帯型端末装置のソフトウェアキーボードの表示及び操作のための制御による動作の手順を示したフローチャート図である。
【図４】第１の実施形態におけるディスプレイ部に表示するキーボードの画像の一例を示したものである。
【図５】第１の実施形態におけるディスプレイ部でのフルキーボードの表示分割例を示した図である。
【図６】第１の実施形態におけるソフトウェアキーボードの表示位置変更の動作例を示した図である。
【図７】第２の実施形態における携帯型端末装置のソフトウェアキーボードの表示及び操作のための制御による動作の手順を示したフローチャート図である。
【図８】第２の実施形態におけるディスプレイ部に表示するフルキーボードの画像の一例を示した図である。
【図９】第２の実施形態における表示サイズ変更後のディスプレイ部でのフルキーボードの表示分割例を示した図である。
【図１０】位置指定ボタン上に該ボタンの移動先のキーを縮小表示する例を示した図である。
【図１１】現在表示されている位置を示す位置指定ボタンを、他のボタンとは異なる色で表示する例を示した図である。
【符号の説明】
【００８０】
１  携帯型端末装置
２  筐体上部
３  筐体下部
４  ヒンジ部
５  表示部
６、７  ディスプレイ部
１１  無線手段
１２  制御手段
１３  スピーカ
１４  表示手段
１５  マイク
１６  操作手段
１７  記憶手段
２１、４２  キーボード表示部
２２、４１、６１、７１  位置指定ボタン
３１、５１  キーボード指定領域
４３  表示サイズ変更ボタン
６２  位置指定ボタン拡大図
【図１】
2008305294.tif 000003
【図２】
2008305294.tif 000004
【図３】
2008305294.tif 000005
【図４】
2008305294.tif 000006
【図５】
2008305294.tif 000007
【図６】
2008305294.tif 000008
【図７】
2008305294.tif 000009
【図８】
2008305294.tif 000010
【図９】
2008305294.tif 000011
【図１０】
2008305294.tif 000012
【図１１】
2008305294.tif 000013